(57)【要約】【課題】  本発明は、液晶表示部の全面にわたり等しい明るさで表示ができ、視認性に優れた遊技機を提供すること。【解決手段】  環状に配置された複数の図柄で形成される複数の図柄列をそれぞれ変動表示する変動表示手段と、前記変動表示手段の前方に設けられ、前記図柄を透過して表示する図柄透過部を有するとともに、遊技に関する画像を表示する画像表示手段と、前記図柄列の前方に光源を有し、前記図柄列を前記図柄列の表面から照明する照明手段と、前記変動表示手段と前記画像表示手段との間に設けられ、前記照明手段からの光を反射して前記図柄透過部を照明する反射部と、前記変動表示手段の図柄を視認可能とする透明部とを有する反射手段と、前記図柄透過部に対する前記反射手段の前記反射部及び前記透過部の位置を切換える切換手段とを備えたことを特徴とする。【選択図】  図９
2005087482.tif 000002
【特許請求の範囲】
【請求項１】
環状に配置された複数の図柄で形成される複数の図柄列をそれぞれ変動表示する変動表示手段と、
前記変動表示手段の前方に設けられ、前記図柄を透過して表示する図柄透過部を有するとともに、遊技に関する画像を表示する画像表示手段と、
前記図柄列の前方に光源を有し、前記図柄列を前記図柄列の表面から照明する照明手段と、
前記変動表示手段と前記画像表示手段との間に設けられ、前記照明手段からの光を反射して前記図柄透過部を照明する反射部と、前記変動表示手段の図柄を視認可能とする透明部とを有する反射手段と、
前記図柄透過部に対する前記反射手段の前記反射部及び前記透過部の位置を切換える切換手段とを備えたことを特徴とする遊技機。
【請求項２】
前記反射手段は、回動自在な円筒形状であり、該円筒形状の円周方向における面に前記反射部及び透明部を有するとともに前記変動表示手段を内包することを特徴とする請求項１に記載の遊技機。
【請求項３】
前記反射手段は、前記図柄透過部の近傍において前記図柄透過部と平行な面を有することを特徴とする請求項１に記載の遊技機。
【請求項４】
前記反射部は、前記図柄透過部よりも大きいことを特徴とする請求項１乃至３のいずれかに記載の遊技機。
【発明の詳細な説明】
【技術分野】
【０００１】
本発明は、パチスロ機などの遊技機に関する。
【背景技術】
【０００２】
従来、パチスロ機等の遊技機においては、遊技者を楽しませるために遊技に関する様々な演出表示を行う液晶表示部を備えた遊技機が知られている（特許文献１参照。）。
【特許文献１】特開２００１−２８６６０１号公報（第１図）
【発明の開示】
【発明が解決しようとする課題】
【０００３】
上述した従来の遊技機においては、液晶画面上にて各種演出が行われ、リールと液晶画面の演出とを連動させた遊技機が既に知られている。また、最近の動向として、その液晶画面が大型化されるようになり、更には液晶画面を最大限大きくするため、リールの前面に液晶画面を設置するまでになった。ここで、液晶パネルは主に保護パネル、拡散シート、冷陰極管を備えた導光板、反射板で構成されており、前述のように、リールの前面に液晶画面を設置するためにはリールを遊技者側から視認可能にするために、前記リール表示窓部とほぼ同等の大きさの開口を反射板に設ける必要があった。このような遊技機では、反射板の無い開口部における表示画像は、反射板がある開口部以外の部位の表示画像と比べて、光量が不足するため表示が暗くなってしまう恐れがあった。本発明は、液晶表示部の全面にわたり等しい明るさで表示ができ、視認性に優れた遊技機を提供することを目的とする。
【課題を解決するための手段】
【０００４】
本発明の請求項１に係る遊技機は、環状に配置された複数の図柄で形成される複数の図柄列をそれぞれ変動表示する変動表示手段（例えば、リール３Ｌ、３Ｃ、３Ｒ）と、前記変動表示手段の前方に設けられ、前記図柄を透過して表示する図柄透過部（例えば、図柄表示領域２１Ｌ、２１Ｃ、２１Ｒ）を有するとともに、遊技に関する画像を表示する画像表示手段（例えば、液晶表示装置）と、前記図柄列の前方に光源を有し、前記図柄列を前記図柄列の表面から照明する照明手段（例えば、冷陰極管３７ａ、３７ｂ、３８ａ、３８ｂ）と、前記変動表示手段と前記画像表示手段との間に設けられ、前記照明手段からの光を反射して前記図柄透過部を照明する反射部（例えば、反射部３１０）と、前記変動表示手段の図柄を視認可能とする透明部とを有する反射手段と、前記図柄透過部に対する前記反射部及び前記透過部の位置を切換える切換手段（例えば、外リール３００Ｌ）とを備えたことを特徴とする。
【０００５】
また、本発明の請求項２に係る遊技機は、本発明の請求項１に係る遊技機において、前記反射手段は、回動自在な円筒形状であり、該円筒形状の円周方向における面に前記反射部及び透明部を有するとともに前記変動表示手段を内包することを特徴とする。
【０００６】
また、本発明の請求項３に係る遊技機は、本発明の請求項２に係る遊技機において、前記反射手段は、前記図柄透過部の近傍において前記図柄透過部と平行な面を有することを特徴とする。
【０００７】
また、本発明の請求項４に係る遊技機は、本発明の請求項１乃至３のいずれかに係る遊技機において、前記反射部は、前記図柄透過部よりも大きいことを特徴とする。
【発明の効果】
【０００８】
本発明によれば、液晶表示部の反射板の開口と開口部以外の部位とでほぼ均一の明るさで表示ができ、視認性に優れた遊技機を提供することができる。
【発明を実施するための最良の形態】
【０００９】
以下、本発明の好ましい実施形態を図面に基づいて説明する。
【００１０】
図１は、本発明に係る遊技機を「パチスロ機」に適用した一実施形態を示している。ここで、パチスロ機としての遊技機１は、コイン、メダルまたはトークン等の他、遊技者に付与された、もしくは付与される遊技価値の情報を記憶したカード等の遊技媒体を用いて遊技するものであるが、以下ではメダルを用いるものとして説明する。
【００１１】
図１において、遊技機１の全体を形成しているキャビネット２の正面には矩形１５インチの表示画面３１ａを有する後述の液晶表示装置３１が設けられ、この表示画面３１ａの全面にわたって映像を表示できるようになっている。また、表示画面３１ａの左側にはパネル表示部２ａが形成されている。表示画面３１ａ及びパネル表示部２ａは略水直面を形成する。
【００１２】
キャビネット２の内部には、各々の外周面に複数種類の図柄を配置した図柄列が描かれた回動自在な３個のリール（左リール３Ｌ、中リール３Ｃ、右リール３Ｒ）が横一列に設けられている。各リールの図柄は表示画面３１ａに設けられた図柄表示領域２１Ｌ、２１Ｃ、２１Ｒを通して観察できるようになっている。各リールは、定速回転（例えば８０回転／分）で回転する。
【００１３】
パネル表示部２ａ、表示画面３１ａの下方には略水平面の台座部４が形成されている。台座部４の右側には、メダル投入口６が設けられ、台座部４の左側には、押し操作によりクレジットされているメダルを賭けるためのＢＥＴスイッチ５が設けられている。また、台座部４の前面部の左寄りには、遊技者がゲームで獲得したメダルのクレジット／払出しを押し操作で切り換えるＣ／Ｐスイッチ７が設けられている。このＣ／Ｐスイッチ７の切替により、正面下部のメダル払出口８からメダルが払出され、払出されたメダルはメダル受け部９に溜められるようになっている。
【００１４】
Ｃ／Ｐスイッチ７の右側には、遊技者の操作によりリール３Ｌ、３Ｃ、３Ｒを回転させ、図柄表示領域２１Ｌ、２１Ｃ、２１Ｒ内での図柄の変動表示を開始（ゲームを開始）するためのスタートレバー１０が所定の角度範囲で揺動自在に取り付けられている。
【００１５】
台座部４の前面中央下方には、３個のリール３Ｌ、３Ｃ、３Ｒの回転をそれぞれ停止させるための３個の停止ボタン１１Ｌ、１１Ｃ、１１Ｒが設けられている。
【００１６】
キャビネット２の上方の左右には、スピーカ１２Ｌ、１２Ｒが設けられ、これら２台のスピーカ１２Ｌ、１２Ｒの間には、入賞図柄の組合せおよびメダルの配当枚数等を表示する配当表示パネル１３が設けられている。
【００１７】
ここで、遊技機１の入賞態様を図２を参照して遊技状態ごとに説明する。なお、遊技状態には、一般遊技、ＲＢ（レギュラーボーナス）遊技、ＢＢ（ビッグボーナス）遊技の３つがある。
【００１８】
まず、通常の遊技状態である一般遊技においては、「三尺玉」（例えば、左リール３Ｌの０１、０６、１１、１７）のシンボル、または「大」（例えば、左リール３Ｌの０９、１２、１８）のシンボルの組合せが入賞ラインに並ぶと小当り入賞となり、それぞれ１２枚、又は８枚の配当が遊技者に払いだされて１の遊技が終了する。また、「チェリー」（例えば、左リール３Ｌの０７、１９）のシンボルが左リール３Ｌの中央又は上下の入賞ライン上に停止すると「中チェリー」又は「角チェリー」の小当り入賞となり、それぞれ２枚又は４枚の配当が遊技者に払い出されて１の遊技が終了する。また、再遊技のシンボルである「大花火」（例えば、左リール３Ｌの００、０５、１０、１５）の３個の組合せが入賞ラインに揃うと、メダルを投入しなくても再び遊技を行うことができる。また、入賞ライン上に並んだシンボルの組合せが上記のいずれにも該当しない場合には「はずれ」となり、配当は行われない。また、数字の７からなる３個のシンボルが「７」（例えば、左リール３Ｌの０８、１４、２０）又は「ドンちゃん」（例えば、左リール３Ｌの０２、０３、０４）の組合せが入賞ラインに揃うと大当り入賞となり、１５枚のメダルが払い出された後、一般遊技とボーナス遊技とがセットで複数回行える後述のＢＢ遊技に移行する。また、「ＨＡＮＡＢＩ」（例えば、左リール３Ｌの１６）の３個のシンボル組合せが入賞ラインに揃うと中当たり入賞となり、１５枚のメダルが払い出された後、１回のボーナス遊技が行える次に説明するＲＢ遊技に移行する。
【００１９】
ＲＢ遊技は、一般遊技中にシンボル組合せが入賞ライン上に並ぶと発生する。ＲＢ遊技では、ジャックゲームと呼ばれるメダル１枚賭けの遊技を複数回行える。このジャックゲームにおいて中央の１本の入賞ライン上に再遊技のシンボルの３個の組合せが並ぶとジャックゲーム入賞が発生し、８枚のメダルが払い出される。このＲＢ遊技は、例えばジャックゲーム入賞が８回は発生するか、又はＲＢ遊技中に実行された通算のジャックゲーム数が例えば１２回に達すると終了する。
【００２０】
また、ＢＢ遊技は、前述のＲＢ遊技と一般遊技とが１組になったものを複数セットにして構成されている。ＢＢ遊技が発生すると、まず、一般遊技が実行される。このＢＢ遊技中の一般遊技では「はずれ」も発生するが、シンボル「三尺球」、「大」、「チェリー」による入賞が一般遊技に比べて高い確率で発生する。また、ＢＢ遊技における一般遊技中に再遊技のシンボルの３個の組合せが有効な入賞ライン上に並ぶと８枚のコインが払出される。その後は複数回のジャックゲームが行えるＲＢ遊技であるボーナス遊技へ移行する。このＢＢ遊技におけるボーナス遊技も、例えばジャックゲーム入賞が８回発生するか、又はボーナス遊技中に実行された通算のジャックゲーム数が例えば１２回に達すると終了する。そして、上記のボーナス遊技が終了すると、ＢＢ遊技における一般遊技が再び行われ、この一般遊技中に再遊技のシンボルの３個の組合せが発生すると、ボーナス遊技が行われる。このようにＢＢ遊技は一般遊技及びボーナス遊技の一連のゲームのセットの繰り返しであり、このセットが所定回数、例えば３回行われるとＢＢゲームは終了となる。また、ＢＢ遊技における一般遊技の通算遊技回数が所定回数、例えば３０回を超える場合にもＢＢ遊技は終了する。
【００２１】
次に、図３を参照して、液晶表示装置３１を構成するパネル表示部２ａ、表示画面３１ａの詳細について説明する。
【００２２】
パネル表示部２ａには、ボーナス遊技情報表示部１６、１−ＢＥＴランプ１７ａ、２−ＢＥＴランプ１７ｂ、最大ＢＥＴランプ１７ｃ、払出表示部１８、及びクレジット表示部１９が設けられている。ボーナス遊技情報表示部１６は、７セグメントＬＥＤからなり、ボーナスゲーム中の遊技情報を表示する。１−ＢＥＴランプ１７ａ、２−ＢＥＴランプ１７ｂ、及び最大ＢＥＴランプ１７ｃは、ゲームを行うために賭けられたメダルの数に応じて点灯する。具体的には、１−ＢＥＴランプ１７ａは、ＢＥＴ数が１の場合に、２−ＢＥＴランプ１７ｂは、ＢＥＴ数が２の場合に、最大ＢＥＴランプ１７ｃは、ＢＥＴ数が３の場合にそれぞれ点灯する。払出表示部１８及びクレジット表示部１９の双方は、７セグメントＬＥＤからなり、入賞成立時のメダルの払出枚数および貯留（クレジット）されているメダルの枚数を表示する。
【００２３】
表示画面３１ａは、図柄表示領域２１Ｌ、２１Ｃ、２１Ｒと、演出表示領域２３とから構成されている。表示画面３１ａの表示内容は、リール３Ｌ、３Ｃ、３Ｒの変動表示態様、停止態様、及び後述する液晶表示装置３１の動作の動作等を含む遊技機１の状態によって変化するようになっている。
【００２４】
図柄表示領域２１Ｌ、２１Ｃ、２１Ｒは、各リール３Ｌ、３Ｃ、３Ｒに対応して配置され、リール３Ｌ、３Ｃ、３Ｒ上に描かれた図柄を表示したり、種々の演出を行うようになっている。なお、図柄表示領域２１Ｌ、２１Ｃ、２１Ｒには、対応するリール３Ｌ、３Ｃ、３Ｒが回転状態の場合、又は対応する停止ボタン１１Ｌ、１１Ｃ、１１Ｒが停止操作可能な状態の場合に、リール３Ｌ、３Ｃ、３Ｒ上に描かれた図柄を遊技者が視認し易いように透過表示される。
【００２５】
演出表示領域２３は、表示画面３１ａのうち、図柄表示領域２１Ｌ、２１Ｃ、２１Ｒを除いた領域である。演出表示領域２３は、ボーナスの入賞成立を実現可能であることを報知する画像（いわゆる「ＷＩＮランプ」）の表示、遊技の興趣を増大するための演出、遊技者が遊技を有利にするために必要な情報等の表示を行うようになっている。
【００２６】
次に図４、図５を参照して、環状のリール３Ｌ、３Ｃ、３Ｒの内部に設けられたＬＥＤランプ２９について説明する。ＬＥＤランプ２９は、リール３Ｌ、３Ｃ、３Ｒを裏面から照明するものである。
【００２７】
図４に示すように、リール３Ｌ、３Ｃ、３Ｒの内部には、リールリール３Ｌ、３Ｃ、３Ｒの回転が停止した場合に、各図柄表示領域２１Ｌ、２１Ｃ、２１Ｒに現れる縦３列の図柄（合計９つの図柄）の裏面にＬＥＤ収納用回路基板２４が設置されている。ＬＥＤ収納用回路基板２４は、各々３つのＬＥＤ収納部を有し、ここの複数のＬＥＤランプ２９が設けられている。以下、９つのＬＥＤ収納部のうち、上列のＬＥＤ収納部を左から順に、Ｚ１、Ｚ２、Ｚ３、中央列のＬＥＤ収納部を左から順に、Ｚ４、Ｚ５、Ｚ６、上列のＬＥＤ収納部を左から順に、Ｚ７、Ｚ８、Ｚ９の符号を付して説明する。ＬＥＤランプ２９は、リール３Ｌ、３Ｃ、３Ｒの外周面に沿って装着されたリールシートの背面側を白色の光で照明する。このリールシートは、透光性を有して構成され、ＬＥＤランプ２９から出射した光は前面側へ透過するようになっている。
【００２８】
また、図５に示すように、リール３Ｌは、形状を同じくする２本の環状フレーム２５、２６を所定の間隔（リール幅）だけ離隔して複数本の連結部材２７で連結して形成された円筒形のフレーム構造と、このフレーム構造の中心部に設けられたステッピングモータ５３Ｌの駆動力を環状フレーム２５、２６へ伝達する伝達部材とにより構成される。なお、図５では、リール３Ｌの外周面に沿って装着されるリールシートは図示を省略している。
【００２９】
リール３Ｌの内側に配置されたＬＥＤ収納用回路基板２４は、各々複数のＬＥＤランプ２９を収納する３つのＬＥＤ収納部Ｚ１、Ｚ４、Ｚ７を備えている。ＬＥＤ収納用回路基板２４は、遊技者が図柄表示領域２１Ｌを通して視認できる図柄（３つの図柄）の各々の裏側にＬＥＤ収納部Ｚ１、Ｚ４、Ｚ７が位置するように設置される。なお、リール３Ｃ、３Ｒについても、リール３Ｌと同様の構成を有する。
【００３０】
次に、図６及び図７を参照して、表示画面３１ａを有する液晶表示装置３１について説明する。ここで、図６及び図７は、液晶表示装置３１の概略構成を示す斜視図、及び液晶表示装置３１の一部の構成を示す展開図である。
【００３１】
液晶表示装置３１は、保護ガラス３２、表示板３３、液晶パネル３４、導光板３５、反射フィルム３６、冷陰極管３７ａ、３７ｂ、３８ａ、３８ｂ、ランプホルダー３９ａ〜３９ｈ、および液晶駆動用のＩＣを搭載した図示しないテーブルキャリアパッケージ（ＴＣＰ）から構成されている。なお、液晶表示装置３１は、リール３Ｌ、３Ｃ、３Ｒよりも手前側（遊技者に近い側）に設けられている。また、液晶表示装置３１とリール３Ｌ、３Ｃ、３Ｒとは所定の間隔を空けて設けられている。
【００３２】
保護ガラス３２及び表示板３３は、透光性部材から構成されており、保護ガラス３２は液晶パネル３４を保護すること等を目的として設けられている。なお、表示板３３のパネル表示部２ａに対応する領域には画像が描かれている。
【００３３】
液晶表示パネル３４は、薄膜トランジスタ層が形成されたガラス板などの透明な基板とこの基板に対向する透明な基板との間隙部に液晶が封入されて形成されている。なお、液晶パネルの表示モードは、液晶を駆動していない状態で白表示され、透過した光が外部から視認されるノーマリーホワイトに設定されている。従って、液晶を駆動できない事態が発生した場合であっても、図柄表示領域２１Ｌ、２１Ｃ、２１Ｒを通してリール３Ｌ、３Ｃ、３Ｒ上に描かれた図柄を視認することができ、遊技を継続することができるようになっている。
【００３４】
導光板３５は、例えば２ｃｍ程の厚さを有し導光機能を備えるアクリル系樹脂等の透光性部材から構成されており、冷陰極管３７ａ、３７ｂが発する光を導光板３５へ導いて液晶パネル３４を照明するために液晶パネル３４の裏側に設けられている。
【００３５】
反射フィルム３６は、例えば、白色のポリエステルフィルムやアルミ薄膜に銀蒸着膜を形成したものから構成され、導光板３５に導入された光を導光板３５の正面側（遊技者の側）に向けて反射させるようになっている。
【００３６】
また、反射フィルム３６は、反射領域３６Ａ及び非反射領域（透過領域）３６ＢＬ、３６ＢＣ、３６ＢＲにより構成されている。
【００３７】
反射領域３６Ａは、入射した光を反射し、液晶パネル３４の領域のうち演出表示領域２３に対応する領域を照明する。
【００３８】
一方、非反射領域３６ＢＬ、３６ＢＣ、３６ＢＲは、透明な材料で形成されており、入射した光を反射することなく透過させる光透過部として形成され、リール３Ｌ、３Ｃ、３Ｒの回転が停止した場合に表示される３つの図柄の各々の前方の位置に設けられている。具体的には、非反射領域３６ＢＬ、３６ＢＣ、３６ＢＲの大きさ及び位置は、図柄表示領域２１Ｌ、２１Ｃ、２１Ｒの大きさ及び位置と一致するようになっている。
【００３９】
このため、遊技者は、非反射領域３６ＢＬ、３６ＢＣ、３６ＢＲを通して図柄表示部の可変表示及び停止表示を視認することができる。
【００４０】
冷陰極管３７ａ、３７ｂは、導光板３５の上端及び下端部に沿って配置されるとともに両端をランプホルダ３９により支持され、導光板３５に導入する光を発生するようになっている。
【００４１】
冷陰極管３８ａ、３８ｂは、反射フィルム３６の裏側の上方位置及び下方位置にリール３Ｌ、３Ｃ、３Ｒに向かって配置されている。そして、冷陰極管３８ａ、３８ｂから発生してリール３Ｌ、３Ｃ、３Ｒの表面で反射して非反射領域３６ＢＬ、３６ＢＣ、３６ＢＲに入射した光は液晶パネル３４を照明するようになっている。
【００４２】
次に、図８（ａ）、図８（ｂ）を参照してＬＥＤランプ２９及び冷陰極管３７ａ、３７ｂ、３８ａ、３８ｂの機能について説明する。なお、図８（ａ）、図８（ｂ）は、それぞれ図柄表示領域２１Ｌ、２１Ｃ、２１Ｒにある液晶を駆動しない場合、図柄表示領域２１Ｌ、２１Ｃ、２１Ｒにある液晶を駆動する場合の各ランプの機能を説明するものである。
【００４３】
図８（ａ）において、冷陰極管３８ａ、３８ｂから出射された光の一部は、リールシートにより反射される。また、ＬＥＤ収納用回路基板２４に設けられたＬＥＤ２９から出射された光の一部は、リールシートを通過する。これらの光は、非反射領域３６ＢＬ、３６ＢＣ、３６ＢＲ、液晶表示装置３１を構成する導光板３５及び液晶パネル３４を通過するので、遊技者は、リール上に配置された図柄を視認することができる。従って、図柄表示領域２１Ｌ、２1Ｃ、２１Ｒにある液晶を駆動しない場合には、ＬＥＤランプ２９及び冷陰極管３８ａ、３８ｂは、リール３Ｌ、３Ｃ、３Ｒ上に配置された図柄を照明する手段として機能する。
【００４４】
一方、冷陰極管３７ａ、３７ｂから出射され、導光板３５に導入された光は、液晶パネル３４を通過して遊技者の目に入る。つまり、冷陰極管３７ａ、３７ｂは、演出表示領域２３に対応する液晶パネル３４の領域を照明する手段として機能する。
【００４５】
図８（ｂ）において、冷陰極管３８ａ、３８ｂから出射された光の一部は、リールシートにより反射される。また、ＬＥＤランプ２９から出射された光の一部はリールシートを通過する。液晶パネル３４の領域のうち、液晶が駆動された領域では、これらの光の一部反射或いは吸収されたり透過したりするので、遊技者は、図柄表示領域２１Ｌ、２１Ｃ、２１Ｒに表示された演出表示等を視認することができる。従って、図柄表示領域２１Ｌ、２１Ｃ、２１Ｒにある液晶を駆動する場合には、ＬＥＤランプ２９及び冷陰極管３８ａ、３８ｂは、液晶パネル３４の領域のうち、図柄表示領域２１Ｌ、２１Ｃ、２１Ｒに対応する領域を照明する手段として機能する。
【００４６】
ここで、液晶パネル３４の領域のうち、図柄表示領域２１Ｌ、２１Ｃ、２１Ｒに対応する領域の一部の液晶を駆動する場合には、ＬＥＤランプ２９及び冷陰極管３８ａ、３８ｂは、リール３Ｌ、３Ｃ、３Ｒ上に配置された図柄、及び液晶パネル３４の領域のうち図柄表示領域２１Ｌ、２１Ｃ、２１Ｒの駆動していない液晶に対応する領域を照明する手段として機能する。
【００４７】
次に、図９、図１０を参照して、リール３Ｌ、３Ｃ、３Ｒの円周方向外側にそれぞれ設けられる外リール３００Ｌ、３００Ｃ、３００Ｒについて説明する。ここで、図９は、リール３Ｌと、このリール３Ｌに対応する外リール３００Ｌの斜視図を示し、図１０は、リール３Ｌ、３Ｃ、３Ｒと、このリール３Ｌ、３Ｃ、３Ｒにそれぞれ対応する外リール３００Ｌ、３００Ｃ、３００Ｒの断面図を示す。
【００４８】
なお、以下の説明では、リール３Ｌと、このリール３Ｌの外側に設けられた外リール３００Ｌを例にとって説明するが、リール３Ｃと外リール３００Ｃ、及びリール３Ｒと外リール３００Ｒも同様の構成を有する。
【００４９】
図９、図１０において、リール３Ｌの円周方向外側には、リール３Ｌと概ね同様の形状を有する外リール３００Ｌが設けられている。外リール３００Ｌは、同形の２本の環状フレーム３０５、３０６をリール３Ｌの幅より僅かに広い所定の間隔だけ離隔して連結部材３０７で連結することで形成された円筒形のフレーム構造と、このフレーム構造の中心部に設けられた図示しないステッピングモータの駆動力を環状フレーム３０５、３０６に伝達する伝達部材３０８とを備えている。なお、本実施形態では、無色透明の樹脂フィルムを連結部材として用いている。
【００５０】
また、外リール３００Ｌは、円筒形のフレーム構造の外周面に、半透明で白色の樹脂等から構成される反射部３１０を備えている。この反射部３１０は、反射部３１０が図柄表示領域２１Ｌを通して視認できる位置にあるとき、ＬＥＤランプ２９が発する光を透過するとともに、冷陰極管３７ａ、３７ｂ、３８ａ、３８ｂが発する光を反射して、液晶パネル３４の図柄表示領域２１Ｌに対応する位置、即ち、反射フィルム３６の非反射領域３６ＢＬに対応するの位置に表示される液晶表示を裏面から照明するようになっている。なお、反射部３１０の外リール３００Ｌの回動方向の長さは、少なくともリール３Ｌの図柄の３つ分より長くなるようになっている。
【００５１】
次に、上記説明したような外リール３００Ｌに反射部３１０を備えた遊技機１において、図１１に示すように、液晶表示装置３１の表示画面３１ａの全面にわたって演出画像として「大当り」の文字を表示した場合について説明する。
【００５２】
図１１において、表示画面３１ａには「大当り」の文字が図柄表示領域２１Ｌ、２１Ｃ、２１Ｒと、演出表示領域２３にわたって表示されている。このような場合、前述した外リール３００Ｌ、３００Ｃ、３００Ｒを図示しないステッピングモータが駆動して、各々の反射部３１０が図柄表示領域２１Ｌ、２１Ｃ、２１Ｒの背後に位置するようになっている。この状態において、リール３Ｌ、３Ｃ、３Ｒに描かれた図柄は反射部３１０が介在するために遊技者からはほぼ視認できない状態になるとともに、反射部３１０はＬＥＤランプ２９が発する光を透過するとともに冷陰極管３７ａ、３７ｂ、３８ａ、３８ｂが発する光を反射して図柄表示領域２１Ｌ、２１Ｃ、２１Ｒを裏面から照明する。一方、冷陰極管３７ａ、３７ｂが発する光は導光板３５に導かれ演出表示領域２３を照明する。
【００５３】
従って、反射部３１０により反射された冷陰極管３７ａ、３７ｂ、３８ａ、３８ｂの光と、反射部３１０を透過したＬＥＤランプ２９との双方の光により、「大当り」の文字の図柄表示領域２１Ｌ、２１Ｃ、２１Ｒ上に表示される部分Ａと、演出表示領域２３に表示さる部分Ｂとは、ほぼ均一の明るさで照明されることになる。
【００５４】
なお、このように演出表示領域２３だけでなく図柄表示領域２１Ｌ、２１Ｃ、２１Ｒにも演出画像が表示されるのは、リール３Ｌ、３Ｃ、３Ｒに描かれた図柄を遊技者が視認するのを妨げないために、リール３Ｌ、３Ｃ、３Ｒの全てが停止しているときや、スタートレバー６が操作されリール３Ｌ、３Ｃ、３Ｒが回転を始めてから停止ボタン１１Ｌ、１１Ｃ、１１Ｒの操作を受け付けられる状態になるまでの僅かの時間等の場合にのみ行われるようになっている。
【００５５】
なお、前述した例では、反射部３１０は外リール３００Ｌ、３００Ｃ、３００Ｒに設けられているが、図１２に示す遊技機１の断面図のように、リール３Ｌ、３Ｃ、３Ｒの外側にプーリ４０１、４０２、４０３、４０４を配置して、プーリ４０１、４０２、４０３、４０４に透明な樹脂フィルム等からなるベルト４０５を掛け渡し、ベルト４０５の一部に反射部３１０と同様の反射部４１０を設けてもよい。この場合、プーリ４０１、４０２、４０３、４０４のうちの少なくとも１つを駆動プーリとするとともに、ベルト４０５のプーリ４０１、４０２間の部分が、液晶表示装置３１の表示画面３１ａと平行になるようにする。このような構成にすると、反射部４１０の形状を円弧状ではなく平面状にすることができるので、反射部４１０によって反射される光及び反射部４１０を透過する光は、図柄表示領域２１Ｌ、２１Ｃ、２１Ｒに対してより優れた照明を行うことができる。
【００５６】
また、他の形態としては、図１２において２つのプーリ４０１、４０２にベルト４０５を巻き付けて、２つのプーリ４０１、４０２にベルト４０５の巻き取り及び巻き出し動作をさせるようにしてもよい。その場合、プーリ４０３、４０４は省略することができる。
【００５７】
以上に説明したように、本発明の請求項１に係る遊技機は、環状に配置された複数の図柄で形成される複数の図柄列をそれぞれ変動表示する変動表示手段と、前記変動表示手段の前方に設けられ、前記図柄を透過して表示する図柄透過部を有するとともに、遊技に関する画像を表示する画像表示手段と、前記図柄列の前方に光源を有し、前記図柄列を前記図柄列の表面から照明する照明手段と、前記変動表示手段と前記画像表示手段との間に設けられ、前記照明手段からの光を反射して前記図柄透過部を照明する反射部と、前記変動表示手段の図柄を視認可能とする透明部とを有する反射手段と、前記図柄透過部に対する前記反射手段の前記反射部及び前記透過部の位置を切換える切換手段とを備えたことを特徴とするので、液晶表示装置の反射板の開口と開口部以外の部位とでほぼ均一の明るさで演出表示ができる場合がある。
【００５８】
また、本発明の請求項２に係る遊技機は、本発明の請求項１に係る遊技機において、前記反射手段は、回動自在な円筒形状であり、該円筒形状の円周方向における面に前記反射部及び透明部を有するとともに前記変動表示手段を内包することを特徴とするので、液晶表示装置の反射板の開口部と開口部以外の部位とでほぼ均一の明るさで表示ができる場合がある。
【００５９】
また、本発明の請求項３に係る遊技機は、本発明の請求項２に係る遊技機において、前記反射手段は、前記図柄透過部の近傍において前記図柄透過部と平行な面を有することを特徴とするので、受けた光を反射し、その反射した光を図柄表示領域に対して平面的に照射することができ、例えば反射部が曲面である場合よりも効果的に図柄表示領域に対して光を反射させることができる。よって液晶表示装置の反射板の開口と開口部以外の部位とで同等の明るさで表示ができる場合がある。
【００６０】
また、本発明の請求項４に係る遊技機は、本発明の請求項１乃至３のいずれかに係る遊技機において、前記反射部は、前記図柄透過部よりも大きいことを特徴とするので、受けた光を反射し、その反射した光を各図柄表示領域全体に照射することが可能となる場合がある。
【図面の簡単な説明】
【００６１】
【図１】本発明の一実施の形態に係る遊技機の斜視図である。
【図２】一実施の形態の遊技機の図柄列の配置例である。
【図３】一実施の形態の遊技機の表示画面及びパネル表示部の詳細図である。
【図４】一実施の形態の遊技機のリール及びリールを照明するランプの構成を示す図。
【図５】一実施の形態の遊技機のリール及びリールを照明するランプの構成を示す図。
【図６】一実施の形態の遊技機の液晶表示装置の概略構成を示す斜視図。
【図７】一実施の形態の遊技機の液晶表示装置の一部の構成を示す展開図。
【図８】（ａ）液晶を駆動しない場合の各ランプの機能を説明する図。  （ｂ）液晶を駆動する場合の各ランプの機能を説明する図。
【図９】一実施の形態の遊技機が備える外リールの斜視図。
【図１０】一実施の形態の遊技機が備える外リールの断面図。
【図１１】一実施の形態の遊技機の表示画面の全面にわたり演出画像を表示した状態を示す図。
【図１２】遊技機がその他の形態の反射部を備える構成を示す図。
【符号の説明】
【００６２】
１  遊技機
３Ｌ、３Ｃ、３Ｒ  リール（変動表示手段）
３１  液晶表示装置（画像表示手段）
３７ａ、３７ｂ、３８ａ、３８ｂ、  冷陰極管（照明手段）
３００Ｌ、３００Ｃ、３００Ｒ  外リール（切換手段）
３１０  反射部（反射手段）
【図１】
2005087482.tif 000003
【図２】
2005087482.tif 000004
【図３】
2005087482.tif 000005
【図４】
2005087482.tif 000006
【図５】
2005087482.tif 000007
【図６】
2005087482.tif 000008
【図７】
2005087482.tif 000009
【図８】
2005087482.tif 000010
【図９】
2005087482.tif 000011
【図１０】
2005087482.tif 000012
【図１１】
2005087482.tif 000013
【図１２】
2005087482.tif 000014